(57)【要約】      【課題】  パネル形成片部の長さ方向のみならず幅方向の曲げに対する剛性を充分確保することが出来る合成樹脂製パネル、及びこの合成樹脂製パネルを保持部材に対して、ガタ付きなく強固で、しかも嵩張ることなく取り付けることが出来る合成樹脂製パネルの取り付け構造を提供する。    【解決手段】  湾曲状に窪む裏面と湾曲状に突出する表面とを備えた長尺のパネル形成片部が多数併設されて成る合成樹脂製パネルにおいて、パネル本体の表面側には、前記パネル形成片部の長さ方向とほぼ直交する方向に延び、且つ湾曲状に窪む裏面と湾曲状に突出する表面とを備えた長尺の補強片部が設けられ、この補強片部の裏面側には、パネル本体を保持するための保持杆に嵌合可能な嵌合溝が形成されており、支柱間に架設した保持杆を、合成樹脂製パネルにおける補強片部の嵌合溝内に嵌合させて、補強片部を保持杆に止め具を介して固定するようにしている。  【選択図】  図７
2005061005.tif 000002
【特許請求の範囲】
【請求項１】
湾曲状に窪む裏面と湾曲状に突出する表面とを備えた長尺のパネル形成片部が多数併設されて成る合成樹脂製パネルにおいて、
パネル本体の表面側には、前記パネル形成片部の長さ方向とほぼ直交する方向に延び、且つ湾曲状に窪む裏面と湾曲状に突出する表面とを備えた長尺の補強片部が設けられ、この補強片部の裏面側には、パネル本体を保持するための保持杆に嵌合可能な嵌合溝が形成されていることを特徴とする合成樹脂製パネル。
【請求項２】
パネル形成片部及び補強片部が、竹を長さ方向に分割した竹片とほぼ同様の形状であることを特徴とする請求項１に記載の合成樹脂製パネル。
【請求項３】
支柱間に架設した保持杆を、請求項１に記載の合成樹脂製パネルにおける補強片部の嵌合溝内に嵌合させて、補強片部を保持杆に止め具を介して固定するようにしていることを特徴とする合成樹脂製パネルの取り付け構造。
【請求項４】
保持杆における補強片部の内面と対向する対向壁の壁面が、補強片部の内面に沿うように構成されていることを特徴とする請求項３に記載の合成樹脂製パネルの取り付け構造。
【発明の詳細な説明】
【技術分野】
【０００１】
本発明は、主として、庭園等において間仕切り用パネルとして用いられる合成樹脂製パネル及びその取り付け構造に関する。
【背景技術】
【０００２】
一般に、この種の合成樹脂製パネルは、湾曲状に窪む裏面と湾曲状に突出する表面とを備え横断面湾曲状とした長尺のパネル形成片部が多数並列状に並べられた形状に形成されている。
【０００３】
そして以上の合成樹脂製パネルは、設置場所に立設した左右一対の支柱間に、パネルの保持杆を構成する胴縁部材を架設すると共に、図１２にも示すように、この胴縁部材Ａの側面に前述の合成樹脂製パネルＢをあてがうと共に、胴縁部材Ａに沿って別途形成した断面湾曲状の押さえ部材Ｃを合成樹脂製パネルＢを挟んで重ねた後、タッピングスクリューＤを押さえ部材Ｃの表面から押さえ部材Ｃ、合成樹脂パネルＢ及び胴縁部材Ａに順次ねじ込むことで、押さえ部材Ｃを介して合成樹脂製パネルＢを胴縁部材Ａに取り付けるようにしている。
（特許文献１参照）
【特許文献１】特開平１０−１５９３０９号  ところで前述の合成樹脂製製パネルＢにあっては、パネル形成片部Ｂ１の長さ方向の曲げに対しては剛性が高くて曲がり難いが、パネル形成片部Ｂ１の長さ方向と直交する方向の曲げに対しては剛性が低くて曲がり易く、そのため例えば運搬などに際してパネルＢが曲がって運び難い場合がある。また前記したように、別途形成した押さえ部材Ｃを合成樹脂製パネルＢの表面にあてがった上で、タッピングスクリューＤにより、押さえ部材Ｃ及び合成樹脂製パネルＢを胴縁部材Ａに取り付ける方法では、部品点数が多くなって、組立に手間を要するのは勿論のこと、押さえ部材Ｃによる合成樹脂製パネルの胴縁部材Ａへの固定が不安定となって、合成樹脂製パネルＢ若しくは押さえ部材Ｃが不用意にガタつく不具合もあるし、更にはタッピングスクリューＤの螺締に伴い、押さえ部材Ｃ若しくは合成樹脂製パネルＢが破損する不具合もある。また押さえ部材から横桟部材までの厚さ方向の寸法Ｌも大きくなって、嵩高くなる不具合もある。
【発明の開示】
【発明が解決しようとする課題】
【０００４】
本発明は以上の実情に鑑みて開発されてもので、目的とするところは、パネル形成片部の長さ方向のみならず幅方向の曲げに対する剛性を充分確保することが出来る合成樹脂製パネル、及びこの合成樹脂製パネルを保持部材に対して、ガタ付きなく強固で、しかも嵩張ることなく取り付けることが出来る合成樹脂製パネルの取り付け構造を提供することを目的とする。
【課題を解決するための手段】
【０００５】
前記した目的を達成するために、請求項１に記載の発明は、湾曲状に窪む裏面と湾曲状に突出する表面とを備えた長尺のパネル形成片部が多数併設されて成る合成樹脂製パネルにおいて、パネル本体の表面側には、前記パネル形成片部の長さ方向とほぼ直交する方向に延び、且つ湾曲状に窪む裏面と湾曲状に突出する表面とを備えた長尺の補強片部が設けられ、この補強片部の裏面側には、パネル本体を保持するための保持杆に嵌合可能な嵌合溝が形成されていることを特徴とするものである。
【０００６】
請求項２に記載の発明は、請求項１に記載の合成樹脂製パネルにおいて、パネル形成片部及び補強片部が、竹を長さ方向に分割した竹片とほぼ同様の形状であることを特徴とするものである。
【０００７】
請求項３に記載の発明は、支柱間に架設した保持杆を、請求項１に記載の合成樹脂製パネルにおける補強片部の嵌合溝内に嵌合させて、補強片部を保持杆に止め具を介して固定するようにしていることを特徴とするものである。
【０００８】
請求項４に記載の発明は、請求項３に記載の合成樹脂製パネルの取り付け構造において、保持杆における補強片部の内面と対向する対向壁の壁面が、補強片部の内面に沿うように構成されていることを特徴とするものである。
【発明の効果】
【０００９】
請求項１に記載の発明によれば、湾曲状に窪む裏面と湾曲状に突出する表面とを備えた長尺のパネル形成片部が多数併設されて成る合成樹脂製パネルにおいて、パネル本体の表面側には、前記パネル形成片部の長さ方向とほぼ直交する方向に延び、且つ湾曲状に窪む裏面と湾曲状に突出する表面とを備えた長尺の補強片部が設けられ、この補強片部の裏面側には、パネル本体を保持するための保持杆が嵌合可能な嵌合溝が形成されていることにより、パネル形成片部の長さ方向のみならず幅方向の曲げに対する剛性を充分確保することが出来、合成樹脂製パネルの運搬や施工が行い易くなるし、合成樹脂製パネルの保持杆への取り付けに際しても簡単且つ容易に行える。
【００１０】
請求項２に記載の発明によれば、請求項１に記載の合成樹脂製パネルにおけるパネル形成片部及び補強片部が、竹を長さ方向に分割した竹片とほぼ同様の形状であることにより、請求項１に記載の発明の効果に加え、バネルが竹材で形成されたかのような雰囲気を醸し出すことが出来る。
【００１１】
請求項３に記載の発明によれば、支柱間に架設した保持杆を、請求項１に記載の合成樹脂製パネルにおける補強片部の嵌合溝内に嵌合させて、補強片部を保持杆に止め具を介して固定するようにしたことにより、合成樹脂製パネルを保持部材に対してガタ付きなく強固でしかも嵩張ることなく取り付けることが出来る。
【００１２】
請求項４に記載の発明によれば、請求項３に記載の合成樹脂製パネルの取り付け構造において、保持杆における補強片部の内面と対向する対向壁の壁面が補強片部の内面に沿うように構成したことにより、請求項３に記載の発明の効果に加えて、補強片部を保持杆に対してより一層ガタ付きなく強固でしかも安定的に取り付けることが出来る。
【発明を実施するための最良の形態】
【００１３】
以下、本発明の実施形態について図面を参照しながら説明する。
【００１４】
図１は、本発明にかかる合成樹脂製パネルの正面図、図２はその側面図であって、符号１で示すこの合成樹脂製パネルは、正面から見て、竹を長さ方向に分割して成る複数の分割竹片が並んだ状態に見えるように、分割竹片と同様の形状をした長尺のパネル形成片部２が多数併設されて、平面視において緩い円弧が連続する略波形に形成されたパネル本体１０から構成されている。
【００１５】
各パネル形成片部２は、竹を長さ方向に分割して成る分割竹片と同様の形状の横断面湾曲状に形成されて、湾曲状に窪む裏面２１と湾曲状に突出する表面２２とが備えられている。
【００１６】
そしてこの合成樹脂製パネル１において、パネル本体１０の表面側には、パネル形成片部２の長さ方向と直交する方向に延びる長尺の補強片部３が一体形成されているのであって、図に示す実施形態では、図１にも示すように、パネル本体の上下両端とその中間部に５本の補強片部３が所定間隔開けて設けられている。
【００１７】
この補強片部３は、図７にも示すように、相対向する対向壁部３１とこれら対向壁部３１の遊端を連結する湾曲状の連結壁部３２とから構成されて、パネル形成片部２と同様、湾曲状に窪む裏面３３と湾曲状に突出する表面３４とが備えられ、その表面３４にはパネル形成片部２と同様に竹の模様が施され、またこの補強片部３の裏面側には、後記する保持杆５に嵌合可能な嵌合溝３５が画成されている。
【００１８】
また実施形態では、図３にも示すように、補強片部３の長さ方向一端部には、対向壁部３１及び連結壁部３２を一回り小さくした接続部３６が設けられて、図９に示すように、合成樹脂製パネル１同士を接続した時に、補強片部３の表面３３が連続するように構成している。
【００１９】
以上の合成樹脂製パネル１は、薄板状に形成した熱可塑性の樹脂素材を樹脂型により型成形するのであって、具体的には、板状樹脂素材を加熱した後、この板状樹脂素材を樹脂型上にセットし、続いて樹脂型内の空気を吸引することで、板状樹脂素材を樹脂型の型面に沿うように変形させて、所定の形状に成形（所謂、真空成形）している。
【００２０】
尚、板状樹脂素材は、ＡＡＳ樹脂から形成しているが、これに限定されるものではなく、例えばＡＢＳ樹脂から形成してもよい。
【００２１】
斯くして以上の構成からなる合成樹脂製パネル１は、パネル形成片部２の長さ方向の曲げに対しては、断面湾曲状のパネル形成片部２により剛性が保たれて曲がり難いのは勿論のこと、パネル形成片部２の長さ方向と直交する方向に対しても、断面略湾曲状に形成された複数の補強片部３により同じく剛性が保たれて曲がり難いのであって、従って、合成樹脂製パネル１の例えば運搬時や取り付け作業時などに際してパネル１が不用意に曲がるようなことがない。
【００２２】
次に以上の構成から成る合成樹脂製パネル１の取り付け構造を説明する。
【００２３】
以上の合成樹脂製パネル１は、基本的には支柱４間に架設した保持杆５に取り付けられて、フェンスなどとして利用される。
【００２４】
即ち、フェンスの設置場所に立設した支柱４間には、合成樹脂製パネル１に形成された５本の補強片部３と対応する5本の保持杆５が架設されているのであって、この保持杆５は、角筒のアルミ製パイプ材から形成され、合成樹脂製パネル１と対向する対向壁５１は、図７にも示すように、補強片部３における連結壁部３２の内面に沿うように湾曲状に形成されている。
【００２５】
そして合成樹脂製パネル１は、各補強片部３の嵌合溝３５内に保持杆５を嵌合させて、保持杆５の対向壁５１に補強片部３における連結壁部３２の内面を          重合させた後、連結壁部３２の外方からタッピングスクリュウ６を連結壁部３２から保持杆５の対向壁５１に螺締することで、補強片部３を保持杆５にタッピングスクリュウ６を介して固定する。
【００２６】
ところで、補強片部３の保持杆５への固定時、連結壁部３２と対向壁５１との間に隙間が生じないので、タッピングスクリュウ６の螺締に伴い、連結壁部３２が不用意に割れるような不具合はない。
【００２７】
尚、図１０に示すように、シュロ製のリボン７０を装着した断面湾曲状の飾りブラケット７、若しくは図１１に示すようにシュロ製のリボンに似せた装着体８を別途形成し、合成樹脂製パネル１の取り付けに際して、これら飾りブラケット７０若しくは装着体８を補強片部３の表面に被せて、タッピングスクリュウ６により、この飾りブラケット７０若しくは装着体８と共に補強片部３を保持杆５に固定してもよい。
【００２８】
斯くして、以上の合成樹脂製パネル１の取り付け構造にあっては、施工が簡単に行え、施工コストを安価とすることが出来る。
【００２９】
以上の実施形態では、合成樹脂製パネル１におけるパネル形成片部２及び補強片部３を、竹を長さ方向に分割した竹片とほぼ同様の形状としたが、これに限定されるものではなく、例えば表面を木材の模様を付した断面略半円弧状に形成してもよい。
【図面の簡単な説明】
【００３０】
【図１】本発明にかかる合成樹脂製パネルの一実施形態を示す正面図。
【図２】同、側面図。
【図３】同、要部の拡大斜視図。
【図４】同、要部の拡大斜視図。
【図５】本発明にかかる合成樹脂製パネルの取り付け例を示す正面図。
【図６】同、背面図。
【図７】合成樹脂製パネルの保持杆への取り付状態を示す拡大断面図。
【図８】合成樹脂製パネルの保持杆への取り付状態を示す拡大断面図。
【図９】合成樹脂製パネル同士の接続部位の拡大断面図。
【図１０】飾りブラケットの斜視図。
【図１１】装着体の斜視図。
【図１２】従来の合成樹脂製パネルの保持杆への取り付け状態を示す要部の断面図。
【符号の説明】
【００３１】
１      合成樹脂製パネル
１０    パネル本体
２      パネル形成片部
２１    パネル形成片部の裏面
２２    パネル形成片部の表面
３      補強片部
３５    嵌合溝
４      支柱
５      保持杆
【図１】
2005061005.tif 000003
【図２】
2005061005.tif 000004
【図３】
2005061005.tif 000005
【図４】
2005061005.tif 000006
【図５】
2005061005.tif 000007
【図６】
2005061005.tif 000008
【図７】
2005061005.tif 000009
【図８】
2005061005.tif 000010
【図９】
2005061005.tif 000011
【図１０】
2005061005.tif 000012
【図１１】
2005061005.tif 000013
【図１２】
2005061005.tif 000014